(57)【要約】【課題】粘性化粧料が乾燥しにくく、しかも塗布面を衛生的に保つことのできる、優れた塗布機能付化粧料容器を提供する。【解決手段】粘性化粧料を収納した略筒状の化粧料収納部２１の一端側に、略有天筒状の弾性体からなる化粧料塗布部２２が取り付けられているとともに、上記化粧料収納部２１の他端側に、収納された粘性化粧料に押圧動作を加えて液体塗布部側に押し出すための回動体２３が取り付けられた化粧料容器であって、上記化粧料塗布部２２の天面２２ｂに、左右方向に延びるスリット２４が形成されており、上記回動体２３による押出動作によって、上記スリット２４から粘性化粧料が押し出され、塗布に供されるようになっている。【選択図】図１
2008212214.tif 000002
【特許請求の範囲】
【請求項１】
粘性化粧料を収納した略筒状の化粧料収納部の一端側に、略有天筒状の弾性体からなる化粧料塗布部が取り付けられているとともに、上記化粧料収納部の他端側に、収納された粘性化粧料に押圧動作を加えて液体塗布部側に押し出す化粧料押出部が取り付けられた化粧料容器であって、上記化粧料塗布部の天面に、左右方向に延びるスリットが形成されており、上記化粧料押出部の押出動作によって、上記スリットから粘性化粧料が押し出され、塗布に供されるようになっていることを特徴とする塗布機能付化粧料容器。
【請求項２】
上記化粧料塗布部の天面が、水平面に対し１５〜６０°傾斜した傾斜面になっている請求項１記載の塗布機能付化粧料容器。
【請求項３】
上記化粧料塗布部の天面が、その縦断面の曲率半径Ｒが５ｍｍ以上の円弧状をなす凹面に設定されている請求項２記載の塗布機能付化粧料容器。
【発明の詳細な説明】
【技術分野】
【０００１】
本発明は、リップグロスやネイルカラー等の粘性化粧料を収納する容器であって、その容器を手に持って直接塗布に供することのできる塗布機能付化粧料容器に関するものである。
【背景技術】
【０００２】
従来から、リップグロスやネイルカラー等の粘性化粧料は、瓶タイプの容器内に収納され、化粧筆等を用いて唇等に塗布することが行われてきたが、最近、略棒状の容器内に粘性化粧料を収容し、この容器を手に持って、その先端から少量ずつ中身である粘性化粧料を押し出しながら、その先端面を唇に当てて塗布することのできる塗布機能付化粧料容器が、多く出回っている。
【０００３】
このような塗布機能付化粧料容器としては、例えば、図７に示すものをあげることができる（特許文献１参照）。この容器は、筒状の容器本体１内に、粘性化粧料の収納部１ａが設けられており、その傾斜した先端壁２に、収納部１ａ内の粘性化粧料を吐出するための分配口３が、複数個設けられている。そして、上記収納部１ａの下側には、容器本体１の底部側に取り付けられた回動体４を回動させることによって、繰り出し棒５を介して所定ピッチずつ上昇するよう設定された中皿６が装着されており、この中皿６の上昇に伴い、収納部１ａ内の粘性化粧料が、少量ずつ分配口３から押し出されるようになっている。
【０００４】
したがって、この容器を手に持ち、上記回動体４を回動させて先端壁２の分配口３から粘性化粧料（例えばリップグロス）を押し出し、その傾斜した先端壁２の上面を利用して唇に塗布すれば、簡単に化粧を施すことができるという利点を有する。
【０００５】
しかし、上記容器は、唇等に押し当てる先端壁２が、硬いプラスチックで形成されており、塗布時の感触が好ましくないことから、例えば、図８に示すように、その先端部に、連続気孔を有する樹脂多孔質体からなる塗布芯１０を取り付けるようにしたものが提案  されている（特許文献２参照）。１１は、粘性化粧料を導入させるための貫通孔である。
【特許文献１】特開２００５−１６８７４５号公報
【特許文献２】特開２００６−１４１９７９号公報
【発明の開示】
【発明が解決しようとする課題】
【０００６】
たしかに、上記特許文献２の塗布芯１０によれば、特許文献１のものに比べて、塗布時の感触がある程度向上する。しかし、上記特許文献１、２のいずれのタイプも、容器の先端壁２に設けられた分配口３や塗布芯１０の貫通孔１１（＋連続気孔）から漸次化粧料に含まれる溶剤や水分が揮散するため、最初に押し出されてくる粘性化粧料の伸びが悪く、化粧しにくいという問題がある。
【０００７】
また、上記分配口３や貫通孔１１の開口が比較的大きく、空気中の塵や肌に付着していた雑菌等が開口内に取り込まれて不潔になりやすいため、肌に当てる塗布面を清浄に保つことができないという問題がある。
【０００８】
本発明は、このような事情に鑑みなされたもので、粘性化粧料が乾燥しにくく、しかも塗布面を衛生的に保つことのできる、優れた塗布機能付化粧料容器の提供をその目的とする。
【課題を解決するための手段】
【０００９】
上記の目的を達成するため、本発明は、粘性化粧料を収納した略筒状の化粧料収納部の一端側に、略有天筒状の弾性体からなる化粧料塗布部が取り付けられているとともに、上記化粧料収納部の他端側に、収納された粘性化粧料に押圧動作を加えて液体塗布部側に押し出す化粧料押出部が取り付けられた化粧料容器であって、上記化粧料塗布部の天面に、左右方向に延びるスリットが形成されており、上記化粧料押出部の押出動作によって、上記スリットから粘性化粧料が押し出され、塗布に供されるようになっている塗布機能付化粧料容器を第１の要旨とする。
【００１０】
また、本発明は、そのなかでも、特に、上記化粧料塗布部の天面が、水平面に対し１５〜６０°傾斜した傾斜面になっている塗布機能付化粧料容器を第２の要旨とし、さらに、上記化粧料塗布部の天面が、その縦断面の曲率半径Ｒが５ｍｍ以上の円弧状をなす凹面に設定されている塗布機能付化粧料容器を第３の要旨とする。
【発明の効果】
【００１１】
すなわち、本発明の塗布機能付化粧料容器は、収納部に収納された粘性化粧料を押し出して塗布するための化粧料塗布部として、天面に、左右方向に延びるスリットが形成された略有天筒状の弾性体が用いられている。したがって、この容器によれば、粘着化粧料の塗布面が弾性体で形成されており、塗布時の感触がよいだけでなく、上記スリットの隙間が開閉して、その都度粘性化粧料が押し出されるようになっているため、中身の粘性化粧料が殆ど空気に触れず、粘性化粧料から溶剤や水分が揮散しにくいという利点を有する。また、塗布作業後も、上記スリットの隙間が閉じるため、スリットの内側を、比較的清浄に保つことができるという利点も有する。
【００１２】
そして、本発明の塗布機能付化粧料容器のなかでも、特に、上記化粧料塗布部の天面を、化粧料収納部の軸方向に対し１５〜６０°傾斜させたもの、あるいは、さらに上記天面を、その縦断面の曲率半径Ｒが５ｍｍ以上の円弧状をなす凹面に設定したものは、上記化粧料塗布部の天面を肌や唇に当てて化粧料を塗布する作業がしやすく、しかも、その際、スリットの隙間が開きにくく、余分な化粧料が垂れたり、スリット開口から塵や雑菌が入りにくく、より衛生的に使用することができる。
【発明を実施するための最良の形態】
【００１３】
つぎに、本発明を実施するための最良の形態について説明する。ただし、本発明は、この実施の形態に限られるものではない。
【００１４】
図１は、本発明の最良の実施形態の一例を示す斜視図、図２（ａ）は、そのＡ−Ａ′断面図である。これらの図において、２０は円筒状の容器本体で、内部が、粘性化粧料を収納するための化粧料収納部２１に形成されている。そして、この化粧料収納部２１の上端部には、略有天筒状に形成されたシリコーンゴム弾性体（厚み１ｍｍ）からなる化粧料塗布部２２が取り付けられており、化粧料収納部２１の下側には、上記化粧料収納部２１の下面に当接する中皿と、この中皿を上昇させる機構とが内蔵されており（これらは図示せず）、容器本体の下端に設けられた回動体２３を、矢印で示すように回動させることにより、上記内蔵された機構を介して、中皿を所定ピッチずつ上昇させて、化粧料収納部２１内の粘性化粧料を、化粧料塗布部２２側に押し出すことができるようになっている。したがって、上記中皿、その上昇機構および回動体２３によって、本発明の「化粧料押出部」が構成されている。
【００１５】
上記化粧料塗布部２２をより詳しく説明すると、その周壁部２２ａは、上にいくほどやや小径に縮径され、全体として緩やかな曲面になっている。そして、その天面２２ｂは、水平面に対する角度θが４０°となる傾斜角で傾斜しており、その傾斜面は、天面２２ｂの縦断面の曲率半径Ｒが１８ｍｍとなる凹面になっている。
【００１６】
また、上記天面２２ｂには、図２（ｂ）で示すように、その中央に、左右方向に延びる直線状のスリット２４が形成されている。このスリット２４の隙間幅Ｄは０．０２ｍｍで、実際には殆ど閉じた状態になっている。そして、上記スリット２４の長さＬは１．２ｍｍである。
【００１７】
そして、上記化粧料塗布部２２の下端部の外周縁にはフランジ２２ｃが形成されており、このフランジ２２ｃの下面を容器本体２０の上端縁に当接し、スリーブ２５で締め込むことにより、化粧料塗布部２２を、収納部２１の上側に固定している。すなわち、スリーブ２５の内周面に形成された環状溝２５ａと、容器本体２０の外周面に形成された環状突起２０ａの係合によって、両者が化粧料塗布部２２のフランジ２２ｃを締め込んで固定するのである。なお、４０は、上記化粧料塗布部２２を保護するために、着脱自在に取り付けられるキャップである。
【００１８】
したがって、この塗布機能付化粧料容器において、化粧料収納部２１と化粧料塗布部２２内に粘性化粧料を充填した状態で、容器本体２０の下端に設けられた回動体２３を回動させることにより、上記化粧料塗布部２２のスリット２４から少量ずつ粘性化粧料を押し出して、上記化粧料塗布部２２の天面２２ｂを利用して、唇等に粘性化粧料を塗布することができる。
【００１９】
このとき、スリット２４は、ごく細い隙間であることから、粘性化粧料押出時のみ開き、使用後は閉じて、スリット２４内の気密性が保たれるため、内側の粘性化粧料に含まれる水分や溶剤が揮散しにくい構造となっている。したがって、常に、粘性化粧料の粘度が良好に保たれ、次回の最初の塗布時に、押し出された粘性化粧料が塗布しにくくなるようなことがない。また、スリット２４の隙間から塵や雑菌が入りにくいため、衛生的である。
【００２０】
なお、上記の例において、化粧料塗布部２２の材質は、シリコーンゴムに限らず、弾性変形しやすく、しかも繰り返し変形を与えても形状を維持するものであれば、どのようなものであってもよい。例えば、ニトリルゴム（ＮＢＡ）、エチレン−プロピレン−共重合ゴム（ＥＰＲ）、ブチルゴム（ＩＩＲ）、ポリウレタンゴム、ポリエチレンゴム、ポリピロピレンゴム等があげられる。ただし、耐薬品性、形状付与性等の点から、上記シリコーンゴムを用いることが好適である。そして、その硬さ（ゴム〔ショア〕硬度）は、塗布作業性や肌（唇を含む）への感触の良好性の点から、６０〜９０のものを用いることが好適である。
【００２１】
また、その厚みは、上記の例に限らず、０．８〜２ｍｍに設定することが好適である。すなわち、厚みが０．８ｍｍ未満では強度が弱くなるとともに、スリット２４の開口が伸びやすくなるのであり、逆に、２ｍｍを超えると、塗布作業時に、肌への追従感に乏しくなり、感触が悪くなるおそれがあるからである。
【００２２】
そして、上記の例において、化粧料塗布部２２に形成するスリット２４の幅Ｄは、この部分の材質や厚みにもよるが、通常、０．２ｍｍ以下に設定することが好適である。すなわち、スリットは、閉じた状態では隙間がないこと（Ｄ＝０ｍｍの状態）が望ましいのであり、逆に、０．２ｍｍを超えると、液垂れしたり、内側の粘性化粧料の水分や溶剤が揮散しやすくなって好ましくない。また、スリット２４の長さは、特に限定するものではないが、天面２２ｂの周縁まで到達してしまうと、押出動作を与えないときであってもスリット２４が開くおそれがあり、好ましくない。
【００２３】
なお、上記の例では、上記スリット２４の形状を、左右に伸びる直線状にしたが、その形状は、特に限定するものではなく、図３（ａ）、（ｂ）に示すように、浅いＵ字状になっていたり，図３（ｃ）、（ｄ）に示すように、浅いＶの字状になっていてもよい。これらの形状のものは、横に一直線状のものに比べて、スリット２４の隙間の開閉が適正になされるため、好適である。ただし、化粧料塗布部２２の天面２２ｂが傾斜面になっている場合、その傾斜方向を横切る形でスリット２４が形成されていることが望ましい。
【００２４】
そして、上記スリット２４は、例えば、図４に示すように、上下に複数本（この図では２本）設けるようにしても差し支えない。ただし、粘性化粧料の押出動作を繰り返しても、上記スリット２４、２４′の隙間の開閉が損なわれないよう、スリット２４、２４′の間隔を充分に確保しておく必要がある。
【００２５】
また、上記の例では、化粧料塗布部２２の天面２２ｂを、水平面に対し傾斜面とし、その傾斜面を、凹んだ湾曲面としたが、その傾斜角θは、上記の例に限らず、１５〜６０°の間で適宜に設定することが好ましい。また、上記天面２２ｂの、縦断面の曲率半径Ｒも、上記の例に限るものではないが、塗布作業性、スリット２４の開きにくさの点から、５ｍｍ以上に設定することが好適である。
【００２６】
ただし、上記天面２２ｂを、必ずしも凹状の湾曲面にする必要はなく、例えば、図５（ａ）に示すように、平面的な傾斜面にしたり、場合によっては、図５（ｂ）に示すように、凸状の湾曲面にすることもできる。
【００２７】
また、化粧料塗布部２２の全体形状も、上記の例に限るものではなく、天面２２ｂを傾斜面にする必要もない。例えば、図６（ａ）に示すように、天面を水平にして、前後方向に潰した形状にしたものや、図６（ｂ）に示すように、全体を円錐台形状にして、天面を小円形にしたものを用いることができる。
【００２８】
さらに、容器本体２０の下部に設けられる押出操作部の構成は、従来公知のどのようなものであってもよく、例えば、図７に示すような、おすねじとめすねじの組み合わせの他、ラチェット機構を利用したもの、また、回動部２３の回転によらず、ノック式を利用したものであってもよい。
【００２９】
そして、容器本体２０の構成も、その内側に略筒状の化粧料収納部２１を備えたものであれば、特に限定するものではなく、例えば、周囲に装飾のための凹凸が付与されていたりしてもよい。また、中身の粘性化粧料の種類や色を変えたものを複数本組み合わせてセットにしたものであってもよい。
【００３０】
なお、これらの例において、化粧料収納部２１と化粧料塗布部２２とは、図１に示すように、完全に連通した構成になっていてもよいが、液漏れ等のトラブルが生じないように、例えば、図１において鎖線で示すように、化粧料収納部２１に、中心に連通孔を有する上皿３０を取り付け、この上皿３０の連通孔と、化粧料塗布部２２のスリット２４とを連通する連通路３１を設けて、粘性化粧料が、連通路３１を通って押し出されるようにしてもよい。
【００３１】
また、本発明の塗布機能付化粧料容器に収納する粘性化粧料としては、特に限定するものではなく、リップグロス、リップカラー、アイライナー、美容液、ネイルカラー、ネイニリムーバー、ヘアカラー、マッサージオイル等、各種の液状化粧料があげられる。特に、液垂れ防止等の点から、全く粘度がないものではなく、ある程度、粘度のあるものが好適に用いられる。
【図面の簡単な説明】
【００３２】
【図１】本発明の一実施例を示す斜視図である。
【図２】（ａ）は図１のＡ−Ａ′断面図、（ｂ）はそのＢ矢視図である。
【図３】（ａ）〜（ｄ）は、いずれも上記実施例におけるスリットの変形例を示す説明図である。
【図４】上記実施例におけるスリットの他の変形例を示す説明図である。
【図５】（ａ）、（ｂ）は、ともに上記実施例における化粧料塗布部の変形例を示す説明図である。
【図６】（ａ）、（ｂ）は、ともに上記実施例における化粧料塗布部の他の変形例を示す説明図である。
【図７】従来の塗布機能付化粧料容器の一例を示す説明図である。
【図８】従来の塗布機能付化粧料容器の他の例を示す部分的な説明図である。
【符号の説明】
【００３３】
２１  化粧料収納部
２２  化粧料塗布部
２２ｂ  天面
２３  回動体
２４  スリット
【図１】
2008212214.tif 000003
【図２】
2008212214.tif 000004
【図３】
2008212214.tif 000005
【図４】
2008212214.tif 000006
【図５】
2008212214.tif 000007
【図６】
2008212214.tif 000008
【図７】
2008212214.tif 000009
【図８】
2008212214.tif 000010